(57)【要約】【課題】カードスロットの開口部を開閉する開閉蓋が表示ユニットを傷付けることなく、カメラ本体の小型化を阻害することのない構造の撮像装置を提供する。【解決手段】ビデオカメラ１０は、撮影レンズ鏡筒２５と、画像データを記憶するメモリカード５１を挿抜可能に収納するカードスロット１８と、カードスロット１８の開口部を開閉するカード蓋１６を備える。カードスロット１８を撮影レンズ鏡筒２５の光軸に直交する面から所定の角度だけ傾けて配置し、カード蓋１６を開位置にあるときに、カードスロット１８と、カメラ本体１１の外装面と、カードスロット１８の奥側端部を通り光軸と直交する平面とからなる空間の内部に位置する構造とする。【選択図】図７
2014123879.tif 000002
【特許請求の範囲】
【請求項１】
撮影レンズ鏡筒と、前記撮影レンズ鏡筒を通して得られた画像の画像データを記憶する記憶媒体を挿抜可能に収納する収納部とを備える撮像装置であって、
前記収納部に前記記憶媒体を挿抜するための前記収納部の開口部に対して、前記開口部を覆う閉位置と前記開口部を露出させる開位置との間で回転動作により移動可能に配置された蓋部材とを備え、
前記収納部は、前記撮影レンズ鏡筒の光軸に直交する面から所定の角度だけ傾けて配置され、
前記蓋部材は、前記開位置にあるときには、前記収納部と、前記撮像装置の本体の外装面と、前記収納部の奥側端部を通り前記光軸と直交する平面とからなる空間の内部に位置することを特徴とする撮像装置。
【請求項２】
前記収納部が実装される基板を備え、
前記撮影レンズ鏡筒の光軸の光軸方向から見たときの前記基板の投影面積が前記撮影レンズ鏡筒の投影面積に収まるように、前記基板は前記光軸に対して斜めに配置されていることを特徴とする請求項１記載の撮像装置。
【請求項３】
撮像素子を含む撮像部と、前記撮像部により得られた画像の画像データを記憶する記憶媒体を挿抜可能に収納する収納部とを備える撮像装置であって、
前記収納部に前記記憶媒体を挿抜するための前記収納部の開口部に対して、前記開口部を覆う閉位置と前記開口部を露出させる開位置との間で回転動作により移動可能に配置された蓋部材とを備え、
前記収納部は、前記撮像部の撮像面から所定の角度だけ傾けて配置され、
前記蓋部材は、前記開位置にあるときには、前記収納部と、前記撮像装置の本体の外装面と、前記収納部の奥側端部を通り前記撮像面と平行な平面とからなる空間の内部に位置することを特徴とする撮像装置。
【請求項４】
前記収納部が実装される基板を備え、
前記撮像面に入射する光軸の被写体側から見たとき、前記基板の投影面積が前記撮影レンズ鏡筒の投影面積に収まるように、前記基板は前記撮像面に対して斜めに配置されていることを特徴とする請求項３記載の撮像装置。
【請求項５】
前記外装面と直交する方向の力を受ける位置に設けられ、前記蓋部材を前記閉位置から前記開位置へと移動させた際に前記蓋部材と当接することにより前記蓋部材を一定角度以上回転させないストッパ部と、
前記蓋部材が前記開位置にあるときに前記蓋部材を前記閉位置から前記開位置へと移動させる際の回転方向と同じ向きの力を受けた際に前記蓋部材と当接する予備ストッパ部とを備えることを特徴とする請求項１乃至４のいずれか１項に記載の撮像装置。
【請求項６】
前記蓋部材は、前記本体に取り付けられる回転軸の一方の先端にカム形状部を有し、
前記蓋部材が前記閉位置と前記開位置の各位置にあるときに前記カム形状部に当接して前記カム形状部を付勢することにより前記蓋部材を前記閉位置と前記開位置の各位置に維持する弾性部材を備えることを特徴とする請求項１乃至５のいずれか１項に記載の撮像装置。
【請求項７】
前記蓋部材の開閉を検知する検知手段を備え、
前記蓋部材は、前記本体に取り付けられる回転軸の他方の先端に突起部を有し、
前記検知手段は、前記突起部による押下を検知することにより前記蓋部材の開閉を検知することを特徴とする請求項６記載の撮像装置。
【請求項８】
前記収納部の前記開口部が配置される前記本体の外装面に対して収納される回転自在な表示部を備えることを特徴とする請求項１乃至７のいずれか１項に記載の撮像装置。
【発明の詳細な説明】
【技術分野】
【０００１】
本発明は、記憶媒体を着脱自在に収納する収納部を備える撮像装置に関する。
【背景技術】
【０００２】
近年、デジタルビデオカメラ（以下「ビデオカメラ」という）等の撮像装置として、いわゆるＳＤカード等の記憶媒体に撮影データを記憶する構成を有するものが多くなってきている。
【０００３】
ここで、ビデオカメラには、撮影画像を確認できるように液晶パネル等の表示部をカメラ本体（筐体）の側面に開閉自在に設けているものが多い。このような構造の場合、カメラ本体を把持した状態での操作性を考慮して、図１０に示すように、表示部を開いた際に開放される側面にＳＤカード等のカードスロットを配置することが多い（特許文献１参照）。
【０００４】
図１０は、従来のビデオカメラのカードスロット部の開閉蓋が開位置にあるときに表示部を収納した状態を示す外観斜視図である。カメラ本体２００に設けられた表示部１１１は、液晶パネル１１１ａと液晶パネル１１１ａを囲む外縁部１１１ｂを有しており、表示部１１１を開いた際に開放されるカメラ本体２００の側面にカードスロットの開閉蓋１１０が設けられている。
【先行技術文献】
【特許文献】
【０００５】
【特許文献１】特開２０１２−１３４８１４号公報
【発明の概要】
【発明が解決しようとする課題】
【０００６】
図１０に示したように開閉蓋１１０が開位置にあるときに表示部１１１を収納位置へ移動させようとすると、開閉蓋１１０と外縁部１１１ｂとが接触する。このため、液晶パネル１１１ａが傷付くことはないが、外縁部１１１ｂが傷付くことがあり、また、開閉蓋１１０が破損するおそれもある。更に、近年のカメラ本体の小型化に伴い、開閉蓋１１０を外縁部１１１ｂと接触する位置に配置することができず、液晶パネル１１１ａに接触してしまう位置に配置せざるを得なくなることも起こり得る。
【０００７】
本発明は、表示部が開状態にあるときの本体内側に開閉蓋が配置された撮像装置であって、開閉蓋が表示部を傷付けることなく、また、本体の小型化を阻害することのない構造を有する撮像装置を提供することを目的とする。
【課題を解決するための手段】
【０００８】
本発明に係る撮像装置は、撮影レンズ鏡筒と、前記撮影レンズ鏡筒を通して得られた画像の画像データを記憶する記憶媒体を挿抜可能に収納する収納部とを備える撮像装置であって、前記収納部に前記記憶媒体を挿抜するための前記収納部の開口部に対して、前記開口部を覆う閉位置と前記開口部を露出させる開位置との間で回転動作により移動可能に配置された蓋部材とを備え、前記収納部は、前記撮影レンズ鏡筒の光軸に直交する面から所定の角度だけ傾けて配置され、前記蓋部材は、前記開位置にあるときには、前記収納部と、前記撮像装置の本体の外装面と、前記収納部の奥側端部を通り前記光軸と直交する平面とからなる空間の内部に位置することを特徴とする。
【発明の効果】
【０００９】
本発明によれば、開閉蓋が表示部を傷付けることがなく、また、本体の小型化を阻害することのない撮像装置を提供することができる。
【図面の簡単な説明】
【００１０】
【図１】本発明の実施形態に係る撮像装置の一例であるビデオカメラの外観を示す斜視図である。
【図２】図１のビデオカメラにおいてカード蓋が開かれた状態（開状態）を示す斜視図である。
【図３】図１のビデオカメラが備えるカード蓋を単体で、図１に示した側とは反対側（カメラ本体側）から見た斜視図である。
【図４】図１のビデオカメラにおいてカメラ本体に取り付けられている収納部カバーを取り除いた状態でのカメラ本体の内部構造を示す斜視図である。
【図５】図４に示した状態からカード蓋及びカードホルダを取り除いた状態でのカメラ本体の内部構造を示す斜視図である。
【図６】図１のビデオカメラにおいてカード蓋を開いた状態で表示ユニットを閉じたときのカメラ本体の側面図である。
【図７】図６に示す矢視Ａ−Ａ断面図である。
【図８】図１のビデオカメラが備えるカード蓋の周辺構造を示す斜視図である。
【図９】図８に示すストッパ部を通る断面図及びリブ部を通る断面図である。
【図１０】従来のビデオカメラのカードスロット部の開閉蓋が開位置にあるときに表示部を収納した状態を示す外観斜視図である。
【発明を実施するための形態】
【００１１】
以下、本発明の実施形態について、添付図面を参照して詳細に説明する。本実施形態では、撮像装置として（デジタル）ビデオカメラを取り上げることとするが、本発明はこれに限定されるものではない。例えば、交換レンズ式のビデオカメラや一眼レフカメラであってもよい。
【００１２】
図１は、本発明の実施形態に係る撮像装置の一例であるビデオカメラの外観を示す斜視図である。ビデオカメラ１０のカメラ本体１１には、電源ボタン１２、光学倍率を変更するズームレバー１３、動画撮影を行うためのトリガボタン１４、撮影画像を表示する表示部としての表示ユニット１５が設けられている。カメラ本体１１の内部には、画像や音声を記憶、再生する信号処理を行う後述のメイン基板（不図示）が配置されている。
【００１３】
表示ユニット１５は、ヒンジ１７を用いてカメラ本体１１の一側面に開閉自在に取り付けられている。なお、ヒンジ１７の機能については、図２を参照して後述する。表示ユニット１５を開いたときに露出するカメラ本体１１の側面（表示ユニット１５を収納する本体側収納部）には収納部カバー２０が取り付けられており、表示ユニット１５を収納する本体側収納部には、後述のカードスロット１８（図２、図５等参照）が設けられている。
【００１４】
図１では、カードスロット１８の開口部（挿抜口）が、表示ユニット１５を収納する本体側収納部に設けられたカード蓋１６によって覆われた状態（閉状態）が示されている。なお、カード蓋１６は、カードスロット１８において後述のメモリカード５１（図２参照）を挿抜するための開口部を開閉する蓋部材である。カード蓋１６は、開口部を覆う閉位置と開口部を露出させる開位置との間で回転動作により移動可能に配置されている。
【００１５】
図２は、ビデオカメラ１０において、カード蓋１６が開かれた状態（開状態）を示す斜視図である。カード蓋１６は、表示ユニット１５が開かれた状態において開閉自在となっている。カード蓋１６を開くと、記憶媒体収納部であるカードスロット１８がカメラ本体１１に配置されていることを視認することができる。カードスロット１８は、画像データを記憶する記憶媒体の一例であるＳＤカード等のメモリカード５１を挿抜可能に収納する。
【００１６】
表示ユニット１５をカメラ本体１１に取り付けているヒンジ１７は、開閉方向αと回転方向βの２方向において表示ユニット１５を回転自在にする２本の回転軸（破線）を備えている。これにより、撮影時には、ユーザは、カメラ本体１１を保持したまま、これらの回転軸を中心として表示ユニット１５を最適な角度に設定することができる。
【００１７】
図３は、カード蓋１６を単体で、図１に示した側とは反対側（カメラ本体１１側）から見た斜視図である。カード蓋１６の上下には開閉回転軸１６ａ，１６ｂが設けられている。一方の回転軸である開閉回転軸１６ａの先端には、開閉反転用のカム形状部１６ｃが設けられている。また、他方の回転軸である開閉回転軸１６ｂの先端には、スイッチ用リブ部１６ｄが設けられている。なお、スイッチ用リブ部１６ｄは、カード蓋１６が開閉していることを検知する不図示の検知スイッチを押下する突起部である。カード蓋１６の側面には、指掛け部１６ｅが形成されている。指掛け部１６ｅは、ユーザがカード蓋１６を開くときに指（爪）を引っ掛けるためのザグリ形状を有する。なお、カード蓋１６において指掛け部１６ｅが形成されている側面とは反対側の側面の開閉回転軸１６ａ，１６ｂの近傍は、図９を参照して後述する先端あて部１６ｆとなっている。
【００１８】
図４は、カメラ本体１１に取り付けられている収納部カバー２０を取り除いた状態でのカメラ本体１１の内部構造を示す斜視図である。カード蓋１６の開閉回転軸１６ａ，１６ｂはカードホルダ１９に回転可能に取り付けられている。カード蓋反転板バネ２１は、カード蓋１６の上部に配置された弾性部材である。カード蓋反転板バネ２１は、板バネ固定ビス２２によってカメラ本体１１に固定されている。カード蓋反転板バネ２１は、カード蓋１６の開閉反転用のカム形状部１６ｃに当接し、カード蓋１６の開位置と閉位置の各位置にあるときに、カム形状部１６ｃを付勢する構造となっている。これにより、カード蓋１６は、開位置と閉位置のいずれの位置にあるときでも安定な姿勢に維持される。
【００１９】
カード蓋１６が図１に示した閉位置から図２に示した開位置へ移動するまでにカード蓋１６が開く角度は、本実施形態では約６５度に設定されている。この開き角度はカードスロット１８に挿入されたメモリカード５１を取り出すのに十分な角度である。
【００２０】
カード蓋１６は、図１に示した閉位置にあるときには、収納部カバー２０とほぼ同一面となって外部に向かって突出することはない。また、カード蓋１６は、図２に示した開位置にあるときでも、カード蓋１６の先端部分が収納部カバー２０の外観面と略同じ高さに位置するように設計されている。したがって、カード蓋１６が開位置にあるときに表示ユニット１５を閉方向に回転させても、カード蓋１６が液晶パネル画面３０に接触することはなく、液晶パネル画面３０が傷付くことはない。
【００２１】
図５は、図４に示した状態からカード蓋１６及びカードホルダ１９を取り除いた状態でのカメラ本体１１の内部構造を示す斜視図である。カードスロット１８が実装されているカード基板２４は、不図示のフレキシブル基板によってとメイン基板２３と接続されており、これらの基板間でデータのやり取り（送受信）が行われる。
【００２２】
図６は、カード蓋１６を開いた状態で表示ユニット１５を閉じたときのカメラ本体１１の側面図である。図７は、図６に示す矢視Ａ−Ａ断面図である。図７に示す撮影レンズ鏡筒２５は、一般的なビデオカメラに用いられる４郡構成のインナフォーカス方式のレンズ鏡筒であり、被写体からの反射光を取り込んで撮像素子２６の受光面に被写体像を結像させる。撮影レンズ鏡筒２５では、被写体面に最も近い側の前玉と撮像素子２６と距離は固定されており、内部のバリエータレンズ及びフォーカスレンズが可動となることでズーム及び合焦を行う構成となっている。
【００２３】
撮像素子２６は、センサ基板２７に実装されている。センサ基板２７には、撮像素子２６において光電変換により出力されたアナログ電気信号をデジタル信号に変換するＡ／Ｄ変換素子及び周辺回路が実装されており、不図示のＢｔｏＢ接続でメイン基板２３と接続されている。撮像素子２６により得られる画像（映像）の画像データ（映像データ）は、カードスロット１８に収納されたメモリカード５１に記憶される。センサ基板２７には、センサ放熱板２８がビス留めされており、センサ放熱板２８は、センサ基板２７に実装されているＡ／Ｄ変換素子の放熱を効率よく行うことが可能となっている。
【００２４】
図７に示されるように、カード基板２４は、光軸または撮像素子２６の撮像面に対して傾けられた状態でカメラ本体１１内に配置されている。つまり、カード基板２４は、その基板面が撮影レンズ鏡筒２５の光軸または撮像素子２６の撮像面と所定の角度で交差するように、カメラ本体１１内に配置されている。本実施形態では、カード基板２４の基板面と撮影レンズ鏡筒２５の光軸との交差角度が約６５度、即ちカード基板２４の基板面と撮像素子２６の撮像面との交差角度が約２５度となっている。これにより、カードスロット１８もまた、撮影レンズ鏡筒２５の光軸と約６５度（撮像素子２６の撮像面との交差角度が約２５度）の角度で交差する。この約６５度（または２５度）という設置角度は、撮影レンズ鏡筒２５の光軸２９の光軸方向から見たときのカード基板２４の投影面積が撮影レンズ鏡筒２５の投影面積に概ね収まるように決定されている。このようにカード基板２４を光軸２９に対して斜めに配置することにより、カメラ本体１１の左右方向の幅を撮影レンズ鏡筒２５の幅で決定される要素以上に大型化させることがなく、小型な筺体（カメラ本体１１）を実現することが可能になる。
【００２５】
また、カード基板２４を光軸２９に対して傾けて配置することにより、カード蓋１６の開閉角度を小さな角度に設定してもメモリカードを取り出すことが可能になる。よって、カード蓋１６の開閉方向の長さを短くすることができ、カード蓋１６が開位置にあるときの収納スペースを小さくすることができる。更に、カード蓋１６は、開位置にあるときには、カードスロット１８の一つの面と、収納部カバー２０（カメラ本体１１の外装面）の一つの面と、カードスロット１８の奥側端部を通って光軸２９と直交する平面（撮像素子２６の撮像面と平行な面）の３平面で囲まれる空間４０の内部に収納される。そのため、カメラ本体１１の小型化が阻害されることもない。
【００２６】
図８は、カード蓋１６の周辺構造を示す斜視図であり、収納部カバー２０、カード蓋１６、カードホルダ１９及びカード蓋反転板バネ２１のみを示している。カードホルダ１９には、カード蓋１６の開閉回転軸１６ａ，１６ｂが取り付けられる部分の近傍に、ストッパ部１９ａ，１９ｂとリブ部１９ｃ，１９ｄとが設けられている。これらストッパ部１９ａ，１９ｂとリブ部１９ｃ，１９ｄの役割について、図９を参照して説明する。
【００２７】
図９（ａ）は、図８のストッパ部１９ａを通る断面図である。図９（ｂ）は、図８のリブ部１９ｃを通る断面図である。本実施形態では、カード蓋１６をカメラ本体１１の内部に収納しているため、カード蓋１６が開位置にあるときにカード蓋１６とカードスロット１８とが接近する。このとき、図９（ａ）に示すように、開位置にあるカード蓋１６には矢印Ｂ方向の力（カメラ本体１１の外装面と直交する方向の力）が加わりやすい。
【００２８】
ここで、カード蓋１６の開閉回転軸１６ａ（および１６ｂ）はカード蓋１６の上下に配置されている。カード蓋１６に矢印Ｂ方向の力が加わると、カード蓋１６は内側に撓みやすく、カード蓋１６の中央部は矢印Ｂ方向に移動しやすくなる。
【００２９】
しかし、本実施形態では、カード蓋１６に矢印Ｂ方向の力が加わったときには、カード蓋１６がストッパ部１９ａ，１９ｂに当接する。つまり、カード蓋１６は、カメラ本体１１の外装面と直交する方向の力を受ける位置に設けられたストッパ部１９ａ，１９ｂによって一定角度以上回転することができない構造となっている。これにより、カード蓋１６が収納される収納面と直交する方向（矢印Ｂ方向と平行）に確実にストッパが効くため、カード蓋１６の開閉角度（約６５度）を維持することができる。
【００３０】
また、図９（ｂ）に示すように、本実施形態では、カード蓋１６と僅かにクリアランスを設けた位置にリブ部１９ｃ（及び１９ｄ）を設けている。そのため、カード蓋１６を閉位置から開位置へと移動させる際の回転方向と同じ向きの回転トルクが開位置にあるカード蓋１６に対して更に加わっても、カード蓋１６の先端あて部１６ｆがリブ部１９ｃに当接することで、カード蓋１６の回転が防止される。つまり、リブ部１９ｃ，１９ｄは、ストッパ部１９ａ，１９ｂを補助する予備ストッパ部として機能する。このように、カードホルダ１９にストッパ部１９ａ，１９ｂ及びリブ部１９ｃ，１９ｄを設けることにより、開位置にあるカード蓋１６に強い外力が作用しても、カード蓋１６がカードスロット１８に干渉しない。よって、カードスロット１８が変形する等の不具合の発生を防止することができる。
【００３１】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３２】
１０    （デジタル）ビデオカメラ
１１    カメラ本体
１５    表示ユニット
１６    カード蓋
１８    カードスロット
１９    カードホルダ
１６ａ，１６ｂ    開閉回転軸
１６ｃ    カム形状部
１６ｄ    スイッチ用リブ部
２１    カード蓋反転板バネ
２４    カード基板
２５    撮影レンズ鏡筒
５１    メモリカード
【図１】
2014123879.tif 000003
【図２】
2014123879.tif 000004
【図３】
2014123879.tif 000005
【図４】
2014123879.tif 000006
【図５】
2014123879.tif 000007
【図６】
2014123879.tif 000008
【図７】
2014123879.tif 000009
【図８】
2014123879.tif 000010
【図９】
2014123879.tif 000011
【図１０】
2014123879.tif 000012